(57)【特許請求の範囲】
【請求項１】
曲折した複数の流路を有し、当該流路に導入する蒸気に含まれる湿分を分離する湿分分離ユニットにおいて、
前記流路の導入口から導出口まで全長を複数の区間に分割し、一の流路の導入口から導入された蒸気の少なくとも一部を他の流路の導出口から導出するように構成され、
前記流路の複数に分割された区間を構成し、前記蒸気から分離した湿分を捕集するポケットを設けたベーンと、
前記導入口と前記導出口とを結ぶ方向に対して垂直方向に立設させた前記ベーンを立設する両端側から挟んで保持する二枚の板状体と、を備え、
前記ベーンは、前記導入口と前記導出口とを結ぶ第１の方向および前記第１の方向に対して垂直方向となる第２の方向の両方向に対して行列状に配置され、前記導入口から数えて同列となる区間では前記第２の方向と平行方向に所定距離を隔てて配置され、かつ、隣接する区間の何れかでは前記第２の方向と平行方向に前記流路の幅よりも短い距離をずらして配置され、
前記ベーンの本体は、立設する方向に対して垂直方向における横断面の形状がＶ字型に構成されており、前記第１の方向に隣接する区間に配置されるベーン本体の前記Ｖ字型の突出方向が、何れも前記第２の方向で同じ向きとなるように配置され、
前記ポケットは、前記ベーン本体の前記Ｖ字型の曲折点の外側に、前記蒸気の流動する方向に対して上流側を向くよう設けられたことを特徴とする湿分分離ユニット。
【請求項２】
前記ベーンの始端位置は、前記蒸気が流動する方向に対して上流側に位置する隣の区間のベーンの終端位置よりも、前記蒸気が流動する方向に対して上流側となる位置に配置されることを特徴とする請求項１記載の湿分分離ユニット。
【請求項３】
請求項１または２に記載の湿分分離ユニットを備えることを特徴とする湿分分離装置。
【発明の詳細な説明】
【技術分野】
【０００１】
本発明の実施形態は、蒸気から湿分を分離する湿分分離ユニットおよび当該湿分分離ユニットを備えた湿分分離装置に関する。
【背景技術】
【０００２】
沸騰水型原子炉（ＢＷＲ）プラントにおいては、炉内で発生した水と蒸気の二相流は気水分離器で大部分の水を除去した後に、湿分分離ユニットで構成された蒸気乾燥器で湿り度０．１％以下の蒸気となって高圧タービンに送られる。また、加圧水型原子炉（ＰＷＲ）プラントにおいても、蒸気発生器で発生した水と蒸気の二相流は同様に気水分離器と蒸気乾燥器を経て高圧タービンに送られている。
【０００３】
蒸気は高圧タービンを通過する過程で膨張して湿り度が上昇してしまうため、低圧タービンに送られる前に、湿分分離加熱器（ＭＳＨ：Moisture Separator Heater）のような機器（湿分分離装置）の内部に設置された湿分分離ユニットを通過することによって湿分が除去されている。
【０００４】
湿分分離ユニットは、例えば、特開２００４−２０５３０２号公報（特許文献１）に記載されるように、波板が並列して配置され、波板の間にスペーサを挟んで締め付けることによってジグザグの蛇行流路が形成されている。蛇行流路に蒸気が流入し、流れが蛇行する際に質量の大きい水は慣性力で外側に飛ばされるため、上流に向いて開口したポケット（ドレンポケット）に水が捕集される。
【０００５】
このような波板によって湿分を分離する湿分分離ユニットを備えた湿分分離装置の一例として、特許文献１では波板上に形成される水滴の捕集ポケットを場所によって変化させることで湿分除去率の向上を図っている。
【先行技術文献】
【特許文献】
【０００６】
【特許文献１】特開２００４−２０５３０２号公報
【発明の概要】
【発明が解決しようとする課題】
【０００７】
上述した湿分分離ユニットは、流路を蛇行させることによって、水と水蒸気の密度の違いを利用して慣性力で水を波板壁面に衝突させ、ポケットで壁面上に形成された液膜を捕集している。このような慣性分離では、蒸気流速が大きくなると水が蒸気に随伴して輸送されてしまうため、蒸気流速がある一定以上大きくなると水が分離されなくなる状態、すなわち、ブレイクスルーが生じる。そのため、湿分分離ユニットでは、水と蒸気とを慣性分離可能な蒸気流速の上限速度（以下、「ブレイクスルー流速」と称する。）を超えないように設計する必要がある。
【０００８】
このようなことから、湿分分離ユニットでは、湿分分離ユニットの流入面積と流量によって決定する湿分分離ユニットへの平均流入速度がブレイクスルー流速より小さくなるように設計されており、蒸気の流入分布に偏りがない状態であれば、ブレイクスルーは通常生じることはない。
【０００９】
しかしながら、湿分分離ユニットへの流入分布に偏りがあることにより蒸気が偏流すると、湿分分離ユニット内の蒸気の流速が局所的にブレイクスルー流速より大きくなってしまうことがある。この場合、水が蒸気に随伴して輸送されてしまうため、湿分分離ユニットの湿分分離性能が低下するという課題があった。
【００１０】
本発明の実施形態は、上述した課題を解決するためになされたものであり、湿分分離（除去）のロバスト性を向上させた湿分分離ユニットおよび当該湿分分離ユニットを備えた湿分分離装置の提供を目的とする。
【課題を解決するための手段】
【００１１】
本発明の実施形態に係る湿分分離ユニットは、上述した課題を解決するため、曲折した複数の流路を有し、当該流路に導入する蒸気に含まれる湿分を分離する湿分分離ユニットにおいて、前記流路の導入口から導出口まで全長を複数の区間に分割し、一の流路の導入口から導入された蒸気の少なくとも一部を他の流路の導出口から導出するように構成され、前記流路の複数に分割された区間を構成し、前記蒸気から分離した湿分を捕集するポケットを設けたベーンと、前記導入口と前記導出口とを結ぶ方向に対して垂直方向に立設させた前記ベーンを立設する両端側から挟んで保持する二枚の板状体と、を備え、前記ベーンは、前記導入口と前記導出口とを結ぶ第１の方向および前記第１の方向に対して垂直方向となる第２の方向の両方向に対して行列状に配置され、前記導入口から数えて同列となる区間では前記第２の方向と平行方向に所定距離を隔てて配置され、かつ、隣接する区間の何れかでは前記第２の方向と平行方向に前記流路の幅よりも短い距離をずらして配置され、前記ベーンの本体は、立設する方向に対して垂直方向における横断面の形状がＶ字型に構成されており、前記第１の方向に隣接する区間に配置されるベーン本体の前記Ｖ字型の突出方向が、何れも前記第２の方向で同じ向きとなるように配置され、前記ポケットは、前記ベーン本体の前記Ｖ字型の曲折点の外側に、前記蒸気の流動する方向に対して上流側を向くよう設けられたことを特徴とする。
【００１２】
本発明の実施形態に係る湿分分離装置は、上述した課題を解決するため、前記湿分分離ユニットを備えることを特徴とする。
【発明の効果】
【００１３】
本発明の実施形態によれば、局所的にブレイクスルー流速より大きい流速で流路群に流入した場合でも、流路群で流速を減少させるため、流入分布に対して湿分除去のロバスト性を向上させることができる。
【図面の簡単な説明】
【００１４】
【図１】本発明の実施形態に係る湿分分離ユニットを備えた湿分分離装置の一例である蒸気乾燥器の構成を概略的に示した構成図。
【図２】本発明の実施形態に係る湿分分離ユニットを備えた湿分分離装置の一例である湿分分離加熱器の構成を概略的に示した縦断面図。
【図３】本発明の第１の実施形態に係る湿分分離ユニットの一例である第１の湿分分離ユニットの構成を概略的に示した構成図。
【図４】図３に示される湿分分離ユニットのＩ−Ｉ線に沿う方向における断面図。
【図５】本発明の第２の実施形態に係る湿分分離ユニットの一例である第２の湿分分離ユニットの横断面図。
【図６】本発明の第３の実施形態に係る湿分分離ユニットの一例である第３の湿分分離ユニットの横断面図。
【図７】本発明の第４の実施形態に係る湿分分離ユニットの一例である第４の湿分分離ユニットの横断面図。
【図８】本発明の第５の実施形態に係る湿分分離ユニットの一例である第５の湿分分離ユニットの横断面図。
【図９】本発明の第６の実施形態に係る湿分分離ユニットの一例である第６の湿分分離ユニットの横断面図。
【図１０】本発明の第７の実施形態に係る湿分分離ユニットの一例である第７の湿分分離ユニットの横断面図。
【発明を実施するための形態】
【００１５】
以下、本発明の実施形態に係る湿分分離ユニットおよび当該湿分分離ユニットを備えた湿分分離装置について、添付の図面を参照して説明する。
【００１６】
図１および図２は本発明の実施形態に係る湿分分離ユニット１０（後に詳述する湿分分離ユニット１０Ａ〜１０Ｇ）を備えた湿分分離装置７０の構成例を概略的に示した構成図であり、図１は蒸気乾燥器７０Ａの構成を概略的に示した構成図、図２は湿分分離加熱器７０Ｂの概略構成を示した縦断面図である。
【００１７】
図１に示されるように、湿分分離装置７０の一例である蒸気乾燥器７０Ａは、曲折した複数の流路を備える湿分分離ユニット１０を備え、例えば、原子力発電システムにおいて、発生させた水と蒸気の二相流の大部分の水を除去する気水分離器を通過した後の蒸気Ｓ０を湿分分離ユニット１０に導いて流入させてさらに水分を分離する。湿分分離ユニット１０を通過した蒸気Ｓ１は、湿り度０．１％以下となって高圧タービンに供給される。湿分分離ユニット１０で分離され捕集された水はドレン樋７１に集約されドレン管７２から蒸気乾燥器７０Ａの外部へ排出される。蒸気乾燥器７０Ａは、通常、沸騰水型原子炉（ＢＷＲ）であれば原子炉圧力容器の上部に、加圧水型原子炉（ＰＷＲ）であれば蒸気発生器（ＳＧ）の上部に設けられる。
【００１８】
なお、符号７３は蒸気乾燥器７０Ａのケーシングであり、符号１１は流路を形成する板状の構造体（以下、単に「ベーン」と称する。）１２を両側から挟んで保持する（挟持）する板状の構造体（以下、「挟持板」と称する。）である。挟持板１１にはベーン１２を嵌め込む溝が形成されており当該溝に嵌め込むことでベーン１２を両側（図１では上下方向）から挟持する。
【００１９】
一方、図２に示されるように、湿分分離装置７０の一例である湿分分離加熱器（ＭＳＨ）７０Ｂは、高圧タービンからの蒸気を低圧タービンへ導く蒸気系統の経路上に設けられ、横向き円筒形状の本体容器８１と、本体容器８１に収容された湿分分離ユニット１０および加熱器８２とを備える。
【００２０】
本体容器８１の底部には、例えば、二台の湿分分離ユニット１０が互いに傾斜対向させて配置され、その上方に第一段加熱器８２ａが配置され、さらにその上方に第二段加熱器８２ｂが配置される。また、二台の湿分分離ユニット１０の間には、底板８３と、天井板８４とから区画されたドレン流路８５が形成される。
【００２１】
本体容器８１の内部には、その下部の被加熱蒸気入口８７から上部の被加熱蒸気出口８８にかけて流路仕切板９１，９２ａ，９２ｂが順次に配置され、湿分分離ユニット１０、第一段加熱器８２ａおよび第二段加熱器８２ｂに被加熱蒸気Ｓ０，Ｓ１を順次に導く流路が形成される。ドレン流路８５は、被加熱蒸気Ｓ０の流路から隔離される。流路仕切板９１と流路仕切板９２ａとで囲まれた空間は、湿分分離ユニット１０の下流側に連通される。流路仕切板９２ａと流路仕切板９２ｂとで囲まれた空間は、第一段加熱器８２ａの下流側に連通される。
【００２２】
このように構成された湿分分離加熱器７０Ｂは、被加熱蒸気入口８７から流入する被加熱蒸気Ｓ０を湿分分離ユニット１０に導き、湿分分離ユニット１０で湿分分離された被加熱蒸気Ｓ１を生成し、続いて、被加熱蒸気Ｓ１を加熱器８２へ導き、加熱器８２による加熱によって加熱蒸気Ｓ２を生成する。生成された加熱蒸気Ｓ２は被加熱蒸気出口８８から低圧タービンへ供給される。なお、図２に示される符号９５ａ、９５ｂは、Ｕ字状に配設された伝熱管である。
【００２３】
湿分分離装置７０は、上述した蒸気乾燥器７０Ａや湿分分離加熱器７０Ｂの他、湿分分離ユニット１０（後に詳述する湿分分離ユニット１０Ａ〜１０Ｇ）を備え、当該湿分分離ユニット１０（１０Ａ〜１０Ｇ）によって蒸気の湿分を分離するあらゆる装置が含まれる。以下、本発明の各実施形態に係る湿分分離ユニットの一例である湿分分離ユニット１０Ａ〜１０Ｇについて説明する。
【００２４】
［第１の実施形態］
図３は本発明の第１の実施形態に係る湿分分離ユニットの一例である湿分分離ユニット（以下、「第１の湿分分離ユニット」と称する。）１０Ａの構成を概略的に示した構成図である。
【００２５】
第１の湿分分離ユニット１０Ａは、例えば、図３に示されるように、ベーン１２を嵌め込む溝が形成された挟持板１１によってベーン１２の両端を嵌め込んで保持することによって、二枚の挟持板１１の間にベーン１２を立設させて、蒸気Ｓ０を導入口１３から導入し、蛇行させて湿分を分離した後の蒸気Ｓ１を導出口１４から導出する流路１５を有する流路群１６が形成される。なお、図３は第１の湿分分離ユニット１０Ａを図示したものであるが、後述する他の湿分分離ユニット１０Ｂ〜１０Ｇについても同様に構成される。
【００２６】
図４は、図３に示される湿分分離ユニット１０Ａ（１０Ｂ〜１０Ｇ）のＩ−Ｉ線に沿う方向における断面図（以下、Ｉ−Ｉ線に沿う方向における断面図を単に「横断面図」と称する。）である。
【００２７】
第１の湿分分離ユニット１０Ａでは、複数のベーン１２（１２Ａ，１２Ｂ）を行列状に配置して屈曲した流路１５を複数有する流路群１６が形成される。なお、以下の説明では、ベーン１２の行列を説明するにあたり、最上行から第ｍ行目（縦方向）に配置されたベーン１２を単に「第ｍ行のベーン１２」と称し、導入口１３の側から第ｎ列目（横方向）に配置されたベーン１２を単に「第ｎ列のベーン１２」と称する。また、ベーン１２の行列によって形成される流路１５を説明するにあたり、第ｍ行と第ｍ＋１行のベーン１２によって形成される導入口１３から導出口１４までの流路１５を単に「第ｍ行の流路１５」と称し、第ｎ列のベーン１２によって形成される流路１５の一部区間を単に「第ｎ列の区間」と称する。
【００２８】
ベーン１２Ａは、導入口１３および導出口１４に最も近接する一列を除いた列に配置されるベーン（以下、「ノーマルベーン」と称する。）であり、ベーン１２Ｂは、導入口１３および導出口１４に最も近接する一列に配置されるベーン（以下、「ガイド付ベーン」と称する。）である。
【００２９】
例えば、図４に示される湿分分離ユニット１０Ａでは、３行（縦方向）×４列（横方向）＝１２枚のベーン１２がマトリクス状に配置され、端部に配置される（左右両端の２列に対して３行ずつ配置される）６枚はガイド付ベーン１２Ｂ、残り（左から第２，３列に対して３行ずつ配置される）６枚はノーマルベーン１２Ａである。
【００３０】
ノーマルベーン１２Ａは、図３に示されるＩ−Ｉ線に沿う方向（ノーマルベーン１２Ａの軸に対して垂直方向）における断面の形状（以下、単に「横断面形状」と称する。）が略Ｖ字型に形成されたベーン本体２１Ａと、蒸気（水と蒸気の二相流）から水を慣性分離して捕集するポケット２２を形成するポケット部材２３とを備える。また、ガイド付ベーン１２Ｂは、ノーマルベーン１２Ａに対して、ベーン本体２１Ａの代わりに、蒸気を導入口１３および導出口１４へ案内するガイド２４がベーン本体２１Ａの端部に設けられたベーン本体２１Ｂを備える。
【００３１】
ポケット部材２３は、ベーン本体２１と同様に横断面形状（図３に示されるＩ−Ｉ線に沿う方向における断面の形状）が、例えば、略Ｖ字型等の直線を少なくとも１回以上曲折させて具現される形状に形成され、ポケット部材２３とベーン本体２１Ａ，２１Ｂとによって形成されるポケット２２の入口が蒸気の流れ方向に対して上流側を向くように、ベーン本体２１Ａ，２１Ｂに取り付けられる。すなわち、ポケット部材２３は、ベーン本体２１Ａ，２１Ｂと相俟ってポケット２２を有するノーマルベーン１２Ａおよびガイド付ベーン１２Ｂを構成する。
【００３２】
第１の湿分分離ユニット１０Ａでは、蒸気を導入口１３から導出口１４へ導く流路幅２ｄの流路１５を複数有する流路群１６が形成され、隣接する列のベーン１２が、蒸気の流動方向（導入口１３と導出口１４とを結ぶ方向）に対して垂直方向にずらして配置される。例えば、図４に示される第１の湿分分離ユニット１０Ａでは、第１列のガイド付ベーン１２Ｂと、第３列のノーマルベーン１２Ａに対して、第２列のノーマルベーン１２Ａおよび第４列のガイド付ベーン１２Ｂは上方向に流路幅２ｄの半分に相当する距離（半ピッチ）ｄずらして配置される。
【００３３】
このように構成された第１の湿分分離ユニット１０Ａでは、流入した蒸気と水の二相流が、導入口１３から第１列の区間に導かれた後、第１列の区間と第２列の区間との間で二つの隣接する流路１５に分配される一方、第２列の区間では、第１列の区間に形成される二つの隣接する流路１５からの二相流が合流する。以降の列においても、第１−２列間と同様に、分配と合流を繰り返し、導入口１３から流入した蒸気と水の二相流は、最終的に最終列の区間から導出口１４へと導かれる。
【００３４】
例えば、図４に示される第１の湿分分離ユニット１０Ａの場合、第２行の流路１５に流入した蒸気と水の二相流は、導入口１３から第１列の区間に導かれた後、第１列の区間と第２列の区間との間で第２行の流路１５および第３行の流路１５の二つに分配される一方、第２列の区間では、第１列の区間に形成される第２行の流路１５および第３行の流路１５の二つから二相流が合流する。以降の列においても、第１−２列間と同様に、分配と合流を繰り返し、導入口１３から流入した蒸気と水の二相流は、最終的に最終列の区間から導出口１４へと導かれる。また、各列のベーン１２が有するポケット２２は、その入口が蒸気の流れ方向に対して上流側を向いており、導入口１３から導入された蒸気が蛇行する流路１５を流動することによって蒸気に含まれる水が慣性分離されて捕集される。
【００３５】
本実施の形態によれば、第１の湿分分離ユニット１０Ａへの流れが偏流しているために局所的にブレイクスルー流速より大きい流速で導入口１３から各流路１５へ流入した場合であっても、第２列目以降の各区間で隣接する流路１５に流れが分配されるため、下流に向かって流速が平均化される。すなわち、第１の湿分分離ユニット１０Ａは、導入口１３から流路１５に導入された蒸気が同じ流路１５の導出口１４からそのまま導出されるのではなく、連続する区間の間において、少なくともその一部が他の流路１５へ移動可能に構成されるため、蒸気の流れに偏りがあってもその偏りを是正することができる。
【００３６】
故に、第１の湿分分離ユニット１０Ａおよび第１の湿分分離ユニット１０Ａを備える湿分分離装置７０では流入分布に対して湿分除去のロバスト性を向上させることができる。
【００３７】
なお、図４に示される第１の湿分分離ユニット１０Ａでは、重力方向が図４の紙面における表から裏方向の場合を説明しているが、裏から表方向であっても良い。この点は後述する図５〜図８に示される湿分分離ユニット１０Ｂ，１０Ｃ，１０Ｄ，１０Ｅについても同様である。
【００３８】
［第２の実施形態］
本発明の第２の実施形態に係る湿分分離ユニットは、本発明の第１の実施形態に係る湿分分離ユニットに対して、流路１５の構成、すなわち、ベーン１２の形状および配置の観点で相違する。そこで、本実施形態の説明では、当該相違点を中心に説明し、同じ構成要素については同じ符号を付して説明を省略する。
【００３９】
本発明の第２の実施形態に係る湿分分離ユニットの一例である第２の湿分分離ユニット１０Ｂは、例えば、図３に示される第１の湿分分離ユニット１０Ａと同様に構成される。すなわち、図３に示される符号１０Ａを１０Ｂと読み替えれば、読み替え後の図３は第２の湿分分離ユニット１０Ｂの構成を概略的に示した構成図となる。
【００４０】
図５は、本発明の第２の実施形態に係る湿分分離ユニットの一例である第２の湿分分離ユニット１０Ｂの横断面図である。
【００４１】
第２の湿分分離ユニット１０Ｂは、第１の湿分分離ユニット１０Ａに対して、第２列のノーマルベーン１２Ａと第４列のガイド付ベーン１２Ｂの代わりに、第２列にノーマルベーン１２Ｃと、第４列にガイド付ベーン１２Ｄとを備える点で相違する。すなわち、本発明の第２の実施形態に係る湿分分離ユニットは、第１列にガイド付ベーン１２Ｂを、偶数列にガイド付ベーン１２Ｃを、第１列を除く奇数列にノーマルベーン１２Ａを、最終列にガイド付ベーン１２Ｂ（最終列が奇数列の場合）またはガイド付ベーン１２Ｄ（最終列が偶数列の場合）を行列状に配置して構成される。
【００４２】
ノーマルベーン１２Ｃは、ベーン本体２１Ａと、ポケット部材２３とを備える点ではノーマルベーン１２Ａと同様であるが、ノーマルベーン１２Ａとはベーン本体２１Ａの方向が異なる。ノーマルベーン１２Ａでは、導入口１３を左に、導出口１４を右に見る方向に対して、ベーン本体２１Ａの曲折点が上側になるのに対して、ノーマルベーン１２Ｃでは、ベーン本体２１Ａの曲折点が下側になる。すなわち、ノーマルベーン１２Ａとノーマルベーン１２Ｃとでは曲折方向（突出方向）が逆方向になる。
【００４３】
また、ノーマルベーン１２Ａおよびノーマルベーン１２Ｃの両方とも、ポケット２２の入口が蒸気の流れ方向に対して上流側を向くようにポケット部材２３がベーン本体２１Ａに取り付けられるため、ノーマルベーン１２Ａではベーン本体２１ＡのＶ字の外面にポケット部材２３が取り付けられるのに対して（例えば、図５に示される第３列のノーマルベーン１２Ａ等参照）、ノーマルベーン１２Ｃではベーン本体２１ＡのＶ字の内面にポケット部材２３が取り付けられる（例えば、図５に示される第２列のノーマルベーン１２Ｃ等参照）。
【００４４】
ガイド付ベーン１２Ｄは、ノーマルベーン１２Ｃの終端にガイド２４が設置されたものであり、ガイド付ベーン１２Ｂのノーマルベーン１２Ａに相当する構成要素をノーマルベーン１２Ｃに相当する構成要素に置き換えたものである。すなわち、ベーン本体２１Ａの曲折点が下側になる。
【００４５】
このように構成された第２の湿分分離ユニット１０Ｂでは、流入した蒸気と水の二相流が、導入口１３から第１列の区間に導かれた後、第１列の区間と第２列の区間との間で二つの隣接する流路１５に分配される一方、第２列の区間では、第１列の区間に形成される二つの隣接する流路１５からの二相流が合流する。以降の列においても、第１−２列間と同様に、分配と合流を繰り返し、導入口１３から流入した蒸気と水の二相流は、最終的に最終列の区間から導出口１４へと導かれる。
【００４６】
例えば、図５に示される第２の湿分分離ユニット１０Ｂの場合、第２行の流路１５に流入した蒸気と水の二相流は、導入口１３から第１列の区間に導かれた後、第１列の区間と第２列の区間との間で第２行の流路１５および第３行の流路１５の二つに分配される一方、第２列の区間では、第１列の区間に形成される第２行の流路１５および第３行の流路１５の二つから二相流が合流する。以降の列においても、第１−２列間と同様に、分配と合流を繰り返し、導入口１３から流入した蒸気と水の二相流は、最終的に最終列の区間から導出口１４へと導かれる。また、各列のベーン１２が有するポケット２２は、その入口が蒸気の流れ方向に対して上流側を向いており、導入口１３から導入された蒸気が蛇行する流路１５を流動することによって蒸気に含まれる水が慣性分離されて捕集される。
【００４７】
また、第２の湿分分離ユニット１０Ｂでは、前列の二つの区間からその次列の一つの区間に蒸気が合流する際、前列の一の区間から蒸気が流入する方向と前列の他の区間から蒸気が流入する方向とが同じ方向となることから衝突することなく同じ方向に流れる。この結果、第２の湿分分離ユニット１０Ｂは、第１の湿分分離ユニット１０Ａと同様の効果に加えて、圧損増加を抑制する効果も奏する。
【００４８】
本実施の形態によれば、第２の湿分分離ユニット１０Ｂへの流れが偏流しているために局所的にブレイクスルー流速より大きい流速で導入口１３から各流路１５へ流入した場合であっても、２列目以降の各区間で隣接する流路１５に流れが分配されるため、下流に向かって流速が平均化される。また、一の箇所で分配された蒸気が他の箇所で分配された蒸気と合流する際においても、蒸気の流れが同じ方向になるので、衝突することなく後列の区間へ流入させて合流させることができる。
【００４９】
第２の湿分分離ユニット１０Ｂおよび第２の湿分分離ユニット１０Ｂを備える湿分分離装置７０では、第１の湿分分離ユニット１０Ａと同様に、流入分布に対して湿分除去のロバスト性を向上させることができることに加え、さらに、分配された蒸気同士による合流時の衝突を抑制できるので、第２の湿分分離ユニット１０Ｂ内での圧損増加を抑制することができる。
【００５０】
［第３の実施形態］
本発明の第３の実施形態に係る湿分分離ユニットは、本発明の第１，２の実施形態に係る湿分分離ユニットに対して、流路１５の構成、すなわち、ベーン１２の形状および配置の観点で相違する。そこで、本実施形態の説明では、当該相違点を中心に説明し、同じ構成要素については同じ符号を付して説明を省略する。
【００５１】
本発明の第３の実施形態に係る湿分分離ユニットの一例である第３の湿分分離ユニット１０Ｃは、例えば、図３に示される第１の湿分分離ユニット１０Ａと同様に構成される。すなわち、図３に示される符号１０Ａを１０Ｃと読み替えれば、読み替え後の図３は第３の湿分分離ユニット１０Ｃの構成を概略的に示した構成図となる。
【００５２】
図６は、本発明の第３の実施形態に係る湿分分離ユニットの一例である第３の湿分分離ユニット１０Ｃの横断面図である。
【００５３】
第３の湿分分離ユニット１０Ｃは、第２の湿分分離ユニット１０Ｂと比較すると、第２列以降のベーン１２を設置する位置関係が相違する。より詳細に説明すれば、ベーン１２の始端位置が、前列のベーン１２の終端位置よりも蒸気の流れ方向（図６に示される左から右の方向）に対して上流側となるように配置されており、流路１５の各区間において終端位置よりも手前（上流側）の位置で蒸気を分流させる。換言すれば、各流路１５は、隣り合う前後の列において一部区間が重複する。
【００５４】
各列のベーン１２の始端位置を結ぶ直線が、前列のベーン１２の終端位置を結ぶ直線よりも蒸気の流れ方向（図６に示される左から右の方向）に対して上流側に配置される第３の湿分分離ユニット１０Ｃでは、各ベーン１２の始端位置が前列のベーン１２の終端位置を結ぶ直線が、前列のベーン１２の終端位置を結ぶ直線と一致する第２の湿分分離ユニット１０Ｂに対して、同じ列数の場合、流路１５の流れ方向の長さ（以下、「全長」と称する。）が短くなり、全体としてコンパクトな構成となる。
【００５５】
本実施の形態によれば、第３の湿分分離ユニット１０Ｃへの流れが偏流しているために局所的にブレイクスルー流速より大きい流速で導入口１３から各流路１５へ流入した場合であっても、２列目以降の各区間で隣接する流路１５に流れが分配されるため、下流に向かって流速が平均化される。また、一の箇所で分配された蒸気が他の箇所で分配された蒸気と合流する際においても、蒸気の流れが同じ方向になるので、衝突することなく後列の区間へ流入させて合流させることができる。さらに、同じ列数の場合、全長が短くなり、第１，２の湿分分離ユニット１０Ａ，１０Ｂと比較してコンパクトな構成となる。
【００５６】
第３の湿分分離ユニット１０Ｃおよび第３の湿分分離ユニット１０Ｃを備える湿分分離装置７０では、第２の湿分分離ユニット１０Ｂと同様に、流入分布に対して湿分除去のロバスト性を向上させることができることに加え、さらに、分配された蒸気同士による合流時の衝突を抑制できる。また、第１，２の湿分分離ユニット１０Ａ，１０Ｂと比較して、湿分除去能力を維持しつつコンパクトな構成とすることができる。さらに、第１，２の湿分分離ユニット１０Ａ，１０Ｂの全長と同じ全長で第３の湿分分離ユニット１０Ｃを構成すれば、ベーン１２の列数を増やすことができるため、サイズを大型化させることなく、湿分除去率を向上させることができる。
【００５７】
［第４の実施形態］
本発明の第４の実施形態に係る湿分分離ユニットは、本発明の第１の実施形態に係る湿分分離ユニットに対して、流路１５の構成、すなわち、ベーン１２の形状および配置の観点で相違する。そこで、本実施形態の説明では、当該相違点を中心に説明し、同じ構成要素については同じ符号を付して説明を省略する。
【００５８】
本発明の第４の実施形態に係る湿分分離ユニットの一例である第４の湿分分離ユニット１０Ｄは、例えば、図３に示される第１の湿分分離ユニット１０Ａと同様に構成される。すなわち、図３に示される符号１０Ａを１０Ｄと読み替えれば、読み替え後の図３は第４の湿分分離ユニット１０Ｄの構成を概略的に示した構成図となる。
【００５９】
図７は、本発明の第４の実施形態に係る湿分分離ユニットの一例である第４の湿分分離ユニット１０Ｄの横断面図である。
【００６０】
第４の湿分分離ユニット１０Ｄは、第１の湿分分離ユニット１０Ａに対して、第２列のノーマルベーン１２Ａの代わりにノーマルベーン１２Ｃを備える点と、第２列のノーマルベーン１２Ａとノーマルベーン１２Ｃの数とが異なる点と、第３列のノーマルベーン１２Ａと第４列のガイド付ベーン１２Ｄの代わりに第３列にガイド付ベーン１２Ｆを備える点とで相違する。
【００６１】
ガイド付ベーン１２Ｆは、横断面形状が略Ｖ字型に形成されたベーン本体２１Ａを備えるガイド付ベーン１２Ｂ，１２Ｄに対して、ベーン本体２１Ａの代わりに、ベーン本体２１Ａを二つの横方向に組み合わせて横断面形状を略Ｗ字（またはＭ字）型に形成したベーン本体３１を備える点で相違する。
【００６２】
すなわち、ガイド付ベーン１２Ｆは、略Ｖ字型に形成されるノーマルベーン１２Ａと、略Ｖ字型に形成されたノーマルベーン１２Ｃの端部にガイド２４を設けたガイド付ベーン１２Ｄの曲折点）を同方向にそろえて一体化した略Ｍ字型（Ｗ字型）に形成され、ガイド付ベーン１２Ｆによって形成される流路１５の区間長さとしては、ノーマルベーン１２Ａ等の約二倍（二列分）の長さを有する。
【００６３】
このようなノーマルベーン１２Ｃおよびガイド付ベーン１２Ｆも組み合わせて構成される第４の湿分分離ユニット１０Ｄでは、流路群１６の幅を変更することなく流路１５の一部区間で流路幅を変更することができるため、流路幅が変わる列と列との間の領域で流れを分配または合流させることができる。
【００６４】
例えば、図７に示される第４の湿分分離ユニット１０Ｄでは、流路１５の一部区間である第２列の区間において、配置するベーン１２Ｃの数を他の区間のベーン１２Ｂ，１２Ｆよりも１個増やした４個（４行）とすることによって、他の区間である第１，３，４列の区間の流路幅ｄ２よりも狭い流路幅ｄ１としている。この結果、第４の湿分分離ユニット１０Ｄの流路１５では、第１列の区間と第２列の区間との間で流れが分配され、湿分除去のロバスト性を向上させることができる。
【００６５】
本実施の形態によれば、湿分分離ユニットへの流れが局所的にブレイクスルー流速より大きい流速で導入口１３から各流路１５へ流入した場合であっても、２列目以降の各区間で隣接する流路１５に流れが分配されるため、下流に向かって流速が平均化される。従って、第４の湿分分離ユニット１０Ｄおよび第４の湿分分離ユニット１０Ｄを備える湿分分離装置７０では、第１の湿分分離ユニット１０Ａと同様に、流入分布に対して湿分除去のロバスト性を向上させることができる。
【００６６】
なお、図７に示される第４の湿分分離ユニット１０Ｄでは、第１，３，４列の区間の流路幅ｄ２、第２列の区間の流路幅ｄ１とすることによって、第１列の区間と第２列の区間との間で流れを分配させているが、第２列以外のベーン１２の個数を変更することによって第１列の区間と第２列の区間との間以外の領域においても流れを分配させることもできる。この場合、第１列の区間と第２列の区間との間のみで流れを分配させる場合よりも、更なる湿分除去のロバスト性向上が期待できる。
【００６７】
また、図７に示される第４の湿分分離ユニット１０Ｄでは、流路１５の終端側にガイド付ベーン１２Ｆを適用した例を示したが、個別にノーマルベーン１２Ａと、ガイド付ベーン１２Ｄとを用いてガイド付ベーン１２Ｆと同様の構成を実現しても良い。
【００６８】
［第５の実施形態］
本発明の第５の実施形態に係る湿分分離ユニットは、本発明の第１の実施形態に係る湿分分離ユニットに対して、流路１５の構成、すなわち、ベーン１２の形状および配置の観点で相違する。そこで、本実施形態の説明では、当該相違点を中心に説明し、同じ構成要素については同じ符号を付して説明を省略する。
【００６９】
本発明の第５の実施形態に係る湿分分離ユニットの一例である第５の湿分分離ユニット１０Ｅは、例えば、図３に示される第１の湿分分離ユニット１０Ａと同様に構成される。すなわち、図３に示される符号１０Ａを１０Ｅと読み替えれば、読み替え後の図３は第５の湿分分離ユニット１０Ｅの構成を概略的に示した構成図となる。
【００７０】
図８は、本発明の第５の実施形態に係る湿分分離ユニットの一例である第５の湿分分離ユニット１０Ｅの横断面図である。
【００７１】
第５の湿分分離ユニット１０Ｅは、第１の湿分分離ユニット１０Ａに対して、第１列のガイド付ベーン１２Ｂおよび第２列のノーマルベーン１２Ａと、第３列のノーマルベーン１２Ａおよび第４列のガイド付ベーン１２Ｂとの代わりに、ガイド付ベーン１２Ｇを備える点で相違する。
【００７２】
ガイド付ベーン１２Ｇは、横断面形状を略Ｗ字（またはＭ字）状に形成したベーン本体３１と、蒸気から水を慣性分離して捕集するポケット３２ａを形成するポケット部材３３とを備える。
【００７３】
ポケット３２ａは、ベーン本体３１とポケット部材３３とを壁面とする水捕集領域であり、その横断面形状（図３に示されるＩ−Ｉ線に沿う方向における断面の形状）は、三角形の一辺を開口部とする略三角形状に構成される。ポケット３２ａは、蒸気の流れ方向に対して上流側を向くように設けられる。
【００７４】
ポケット部材３３は、ポケット部材２３と同様に一箇所曲折した板状の部材であり、入口（開口部）が蒸気の流れ方向に対して上流側を向くようにベーン本体３１に取り付けられる。すなわち、ポケット部材３３は、ベーン本体３１と相俟って上流側に開口したポケット３２ａを有するガイド付ベーン１２Ｇを構成する。
【００７５】
例えば、図８に示されるガイド付ベーン１２Ｇでは、横断面形状が略Ｗ字型に形成されたベーン本体３１のＷの直線部分に、三つのポケット部材３３を取り付けることによって、三つのポケット３２ａが設けられる。このポケット３２ａは、ガイド付ベーン１２Ｇを同じ列に配置した際に隣接する二つのガイド付ベーン１２Ｇによって形成される流路１５の区間において、蒸気が蛇行する際の外側となる位置に蒸気の流れ方向に対して上流側を開口させて設けられる。
【００７６】
第５の湿分分離ユニット１０Ｅでは、第１の湿分分離ユニット１０Ａと同様に、蒸気を導入口１３から導出口１４へ導く流路幅２ｄの流路１５を複数有する流路群１６が形成され、隣接する列のガイド付ベーン１２Ｇが、蒸気の流動方向に対して垂直方向に流路幅２ｄの半分に相当する距離（半ピッチ）ｄずらして配置される。例えば、図８に示される第５の湿分分離ユニット１０Ｅでは、第１列のガイド付ベーン１２Ｇに対して、第２列のガイド付ベーン１２Ｇは、下方向に半ピッチｄずらして配置される。
【００７７】
このように構成された第５の湿分分離ユニット１０Ｅでは、第１の湿分分離ユニット１０Ａと同様の現象が生じる。すなわち、第５の湿分分離ユニット１０Ｅに流入した蒸気と水の二相流が、導入口１３から第１列の区間に導かれた後、第１列の区間と第２列の区間との間で二つの隣接する流路１５に分配される一方、第２列の区間では、第１列の区間に形成される二つの隣接する流路１５からの二相流が合流する。
【００７８】
また、ポケット３２ａの横断面の形状が略三角形状としたことによって、横断面の形状が略三角形状でない従来または第１〜第４の湿分分離ユニット１０Ａ〜１０Ｄと比較して、ポケット３２ａによる流路１５の縮流が緩和される。
【００７９】
本実施の形態によれば、第５の湿分分離ユニット１０Ｅへの流れが偏流しているために局所的にブレイクスルー流速より大きい流速で導入口１３から各流路１５へ流入した場合であっても、２列目以降の各区間で隣接する流路１５に流れが分配されるため、下流に向かって流速が平均化される。従って、第５の湿分分離ユニット１０Ｅおよび第５の湿分分離ユニット１０Ｅを備える湿分分離装置７０では流入分布に対して湿分除去のロバスト性を向上させることができる。
【００８０】
また、第５の湿分分離ユニット１０Ｅおよび第５の湿分分離ユニット１０Ｅを備える湿分分離装置７０は、ポケット３２ａの横断面の形状が略三角形状であるため、横断面の形状が略三角形状でない従来または第１〜第４の湿分分離ユニット１０Ａ〜１０Ｄと比較して、ポケット３２ａによる流路１５の縮流を緩和することができる。
【００８１】
［第６の実施形態］
本発明の第６の実施形態に係る湿分分離ユニットは、本発明の第５の実施形態に係る湿分分離ユニットに対して、流路１５の構成、すなわち、ベーン１２の形状および配置の観点で相違する。そこで、本実施形態の説明では、当該相違点を中心に説明し、同じ構成要素については同じ符号を付して説明を省略する。
【００８２】
本発明の第６の実施形態に係る湿分分離ユニットの一例である第６の湿分分離ユニット１０Ｆは、例えば、図３に示される第１の湿分分離ユニット１０Ａと同様に構成される。すなわち、図３に示される符号１０Ａを１０Ｆと読み替えれば、読み替え後の図３は第６の湿分分離ユニット１０Ｆの構成を概略的に示した構成図となる。
【００８３】
図９は、本発明の第６の実施形態に係る湿分分離ユニットの一例である第６の湿分分離ユニット１０Ｆの横断面図である。
【００８４】
第６の湿分分離ユニット１０Ｆは、第５の湿分分離ユニット１０Ｅに対して、流路１５を構成する方向と、ガイド付ベーン１２Ｇの代わりにガイド付ベーン１２Ｈ，１２Ｉを備える点で相違する。
【００８５】
ガイド付ベーン１２Ｈ，１２Ｉは、横断面形状を略Ｗ字（またはＭ字）状に形成したベーン本体３１と、蒸気から水を慣性分離して捕集するポケット３２ｂを形成するポケット部材３３とを備える。
【００８６】
ポケット３２ｂは、ポケット３２ａと同様にベーン本体３１とポケット部材３３とを壁面とする横断面形状が略三角形状に構成された水捕集領域であり、ガイド付ベーン１２Ｈを同じ列に配置した際に隣接する二つのガイド付ベーン１２Ｈによって形成される流路１５の区間において、蒸気が蛇行する際の外側となる位置に設けられる点で共通するが、ポケット３２ｂが開口する方向は、蒸気の流れ方向に対して下流側（天井側）であり、蒸気の流れ方向に対して上流側を向くポケット３２ａの開口方向と異なる。
【００８７】
このようなガイド付ベーン１２Ｈ，１２Ｉを立設して構成される第６の湿分分離ユニット１０Ｆでは、蒸気を導入口１３から導出口１４へ導く流路幅２ｄの流路１５を複数有する流路群１６が形成され、隣接する列のガイド付ベーン１２Ｈ，１２Ｉが、蒸気の流動方向に対して垂直方向に流路幅２ｄの半分に相当する距離（半ピッチ）ｄずらして配置される。
【００８８】
また、第６の湿分分離ユニット１０Ｆは、流路１５を構成する方向、すなわち、重力方向が、第１〜第５の湿分分離ユニット１０Ａ〜１０Ｅの重力方向とは相違する。具体的には、第６の湿分分離ユニット１０Ｆの重力方向は、図９に示されるように、紙面における左右方向となるが、第１〜第５の湿分分離ユニット１０Ａ〜１０Ｅの重力方向は、図４〜図８に示されるように、紙面の表裏方向である。
【００８９】
また、ガイド付ベーン１２Ｈは、ガイド付ベーン１２Ｉに対してベーン本体３１の下流（終端）側に返し部３４をさらに設けて構成される。返し部３４を設けることによって、返し部３４の壁面に付着した水滴が重力落下する際に地面側に設けられ天井側を向いて開口するポケット３２ｂで捕集することができ、水滴捕集（湿分分離）効果を高めることができる。
【００９０】
例えば、図９に示される第６の湿分分離ユニット１０Ｆでは、第１列にガイド付ベーン１２Ｈが、第２列（最終列）にはガイド付ベーン１２Ｉが設けられ、蒸気を地面側に設けられた導入口１３から天井側に設けられた導出口１４へ導くように構成される。また、ポケット３２ｂは、蒸気の流れ方向に対して下流側（天井側）を開口させて設けられる。
【００９１】
このように構成された第６の湿分分離ユニット１０Ｆでは、第５の湿分分離ユニット１０Ｅと同様の現象が生じる。すなわち、第６の湿分分離ユニット１０Ｆに流入した蒸気と水の二相流が、導入口１３から第１列の区間に導かれた後、第１列の区間と第２列の区間との間で二つの隣接する流路１５に分配される一方、第２列の区間では、第１列の区間に形成される二つの隣接する流路１５からの二相流が合流する。また、従来または第１〜第４の湿分分離ユニット１０Ａ〜１０Ｄと比較して、ポケット３２ｂによる流路１５の縮流が緩和される。
【００９２】
さらに、蒸気の流れ方向を重力が作用する方向と逆方向とし、ポケット３２ｂを天井側に開口させて設けているため、下流側に向いて開口したポケット３２ｂにはベーン本体３１および返し部３４の壁面に付着した水滴を重力落下により捕集することができる。
【００９３】
本実施の形態によれば、第５の湿分分離ユニット１０Ｅおよび第５の湿分分離ユニット１０Ｅを備える湿分分離装置７０と同様の効果を奏することができる。すなわち、第６の湿分分離ユニット１０Ｆおよび第６の湿分分離ユニット１０Ｆを備える湿分分離装置７０では流入分布に対して湿分除去のロバスト性を向上させることができ、かつ、従来または第１〜第４の湿分分離ユニット１０Ａ〜１０Ｄと比較して、ポケット３２ｂによる流路１５の縮流を緩和することができる。
【００９４】
なお、本実施の形態で説明した第６の湿分分離ユニット１０Ｆは、上述したとおり重力方向が第１〜第５の湿分分離ユニット１０Ａ〜１０Ｅとは異なり、ベーン１２を水平方向に挟持する構成となる。従って、蒸気乾燥器７０Ａに適用する場合は、図１に示した構成と異なり、第６の湿分分離ユニット１０Ｆの下方から被加熱蒸気Ｓ０が流入し、被加熱蒸気Ｓ１が第６の湿分分離ユニット１０Ｆの上方へ抜けて高圧タービンに導かれ、第６の湿分分離ユニット１０Ｆで捕集された水は側面から蒸気乾燥器７０Ａの外部へ排出される構成となる。
【００９５】
［第７の実施形態］
本発明の第７の実施形態に係る湿分分離ユニットは、本発明の第６の実施形態に係る湿分分離ユニットに対して、流路１５の方向、すなわち、ベーン１２の配置方向の観点で相違する。そこで、本実施形態の説明では、当該相違点を中心に説明し、同じ構成要素については同じ符号を付して説明を省略する。
【００９６】
本発明の第７の実施形態に係る湿分分離ユニットの一例である第７の湿分分離ユニット１０Ｇは、例えば、図３に示される第１の湿分分離ユニット１０Ａと同様に構成される。すなわち、図３に示される符号１０Ａを１０Ｇと読み替えれば、読み替え後の図３は第７の湿分分離ユニット１０Ｇの構成を概略的に示した構成図となる。
【００９７】
図１０は、本発明の第７の実施形態に係る湿分分離ユニットの一例である第７の湿分分離ユニット１０Ｇの横断面図である。
【００９８】
第７の湿分分離ユニット１０Ｇは、第６の湿分分離ユニット１０Ｆに対して、流路１５を構成する方向と、ガイド付ベーン１２Ｈ，１２Ｉの代わりに、ガイド付ベーン１２Ｊ，１２Ｋを備える点で相違する。すなわち、第７の湿分分離ユニット１０Ｇでは、蒸気を導入口１３から導出口１４へ導く流路幅２ｄの流路１５を複数有する流路群１６が形成され、隣接する列のガイド付ベーン１２Ｊ，１２Ｋが、蒸気の流動方向に対して垂直方向に流路幅２ｄの半分に相当する距離（半ピッチ）ｄずらして配置される。
【００９９】
また、第７の湿分分離ユニット１０Ｇは、流路１５を構成する方向、すなわち、重力方向が、第１〜第５の湿分分離ユニット１０Ａ〜１０Ｅや第６の湿分分離ユニット１０Ｆの重力方向とは相違する。具体的には、第７の湿分分離ユニット１０Ｇの重力方向は、図１０に示されるように、紙面における上下方向となる。
【０１００】
ガイド付ベーン１２Ｊは、ベーン本体３１のＷの直線部分にポケット部材３３を取り付けるとともに、ベーン本体３１の下流（終端）側に返し部３４をさらに設けて構成される点でガイド付ベーン１２Ｈと共通するが、蒸気の流れ方向に対して上流側に開口させたポケット３２ａと、蒸気の流れ方向に対して下流側に開口させたポケット３２ｂとを有するようにポケット部材３３を取り付ける点で相違する。
【０１０１】
また、ガイド付ベーン１２Ｋは、ベーン本体３１のＷの直線部分に、蒸気の流れ方向に対して上流側に開口させたポケット３２ａと、蒸気の流れ方向に対して下流側に開口させたポケット３２ｂとを有するようにポケット部材３３を取り付けて構成される。
【０１０２】
このようなガイド付ベーン１２Ｈ，１２Ｉを立設して構成される第７の湿分分離ユニット１０Ｇでは、蒸気を導入口１３から導出口１４へ導く流路幅２ｄの流路１５を複数有する流路群１６が形成され、隣接する列のガイド付ベーン１２Ｊ，１２Ｋが、蒸気の流動方向に対して垂直方向に流路幅２ｄの半分に相当する距離（半ピッチ）ｄずらして配置される。
【０１０３】
また、第７の湿分分離ユニット１０Ｇは、流路１５を構成する方向、すなわち、重力方向が、第１〜第５の湿分分離ユニット１０Ａ〜１０Ｅや第６の湿分分離ユニット１０Ｆの重力方向とは相違する。具体的には、第７の湿分分離ユニット１０Ｇは、図１０に示されるように、紙面における上下方向となる。
【０１０４】
さらに、第７の湿分分離ユニット１０Ｇでは、蒸気の流動方向に対して上流側に開口したポケット３２ａが天井側（図１０に示される上側）を向くことになるので、壁面に付着した液膜をポケット３２ａで直接捕集することができるとともに、蒸気の流動方向に対して下流側に開口したポケット３２ｂが地面側（図１０に示される下側）になるので、壁面に付着し重力で溜まった液膜をポケット３２ｂで捕集することができる。
【０１０５】
本実施の形態によれば、第５の湿分分離ユニット１０Ｅおよび第５の湿分分離ユニット１０Ｅを備える湿分分離装置７０と同様の効果を奏することができる。すなわち、第７の湿分分離ユニット１０Ｇおよび第７の湿分分離ユニット１０Ｇを備える湿分分離装置７０では、流入分布に対して湿分除去のロバスト性を向上させることができ、かつ、従来または第１〜第４の湿分分離ユニット１０Ａ〜１０Ｄと比較して、ポケット３２ａ，３２ｂによる流路１５の縮流を緩和することができる。
【０１０６】
以上、本発明の実施形態に係る湿分分離ユニットおよび湿分分離ユニットを備える湿分分離装置によれば、従来の湿分分離ユニットおよび当該湿分分離ユニットを備える湿分分離ユニットよりも流入分布に対して湿分除去のロバスト性を向上させることができる。
【０１０７】
以上、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。例えば、図４に示される第１の湿分分離ユニット１０Ａでは、ガイド２４をノーマルベーン１２Ａの一端に設けたガイド付ベーン１２Ｂを備える場合を説明しているが、第１の湿分分離ユニット１０Ａでは必ずしもガイド２４とノーマルベーン１２Ａとが一体的に構成されている必要はなく、ガイド２４とノーマルベーン１２Ａとが一体的に構成されるガイド付ベーン１２Ｂの代わりに、ガイド２４とノーマルベーン１２Ａとを個別に配置した構成を採用することもできる。これら実施形態やその変形は、発明の範囲や要旨に含まれるとともに、特許請求の範囲に記載された発明とその均等の範囲に含まれる。
【符号の説明】
【０１０８】
１０（１０Ａ〜１０Ｇ）  湿分分離ユニット
１１  挟持板
１２（１２Ａ〜１２Ｋ）  ベーン
１３  導入口
１４  導出口
１５  流路
１６  流路群
２１（２１Ａ，２１Ｂ）  ベーン本体
２２  ポケット
２３  ポケット部材
２４  ガイド
３１  ベーン本体
３２ａ，３２ｂ  ポケット
３３  ポケット部材
３４  返し部
７０  湿分分離装置
７０Ａ  蒸気乾燥器
７０Ｂ  湿分分離加熱器
７１  ドレン樋
７２  ドレン管
７３  ケーシング
８１  本体容器
８２ａ  第一段加熱器
８２ｂ  第二段加熱器
８３  底板
８４  天井板
８５  ドレン流路
８７  被加熱蒸気入口
８８  被加熱蒸気出口
９１  流路仕切板
９２ａ，９２ｂ  流路仕切板
９５ａ，９５ｂ  伝熱管
【図１】
0005535096.tif 000002
【図２】
0005535096.tif 000003
【図３】
0005535096.tif 000004
【図４】
0005535096.tif 000005
【図５】
0005535096.tif 000006
【図６】
0005535096.tif 000007
【図７】
0005535096.tif 000008
【図８】
0005535096.tif 000009
【図９】
0005535096.tif 000010
【図１０】
0005535096.tif 000011